(57)【要約】【課題】容易に所望のサービスの提供を受けることができる電子機器を実現する。【解決手段】実施形態によれば、電子機器は、近接通信部と、制御手段とを具備する。近接通信部は、近接通信を実行する。制御手段は、前記電子機器に近接された外部機器からのアカウント設定の要求に応答して、特定のサービスを提供するサーバシステムにログインするための第１のアカウント情報を前記近接通信を使用して前記外部機器から受信し、前記受信された第１のアカウント情報を前記電子機器に設定する。【選択図】図２
2014067283.tif 000002
【特許請求の範囲】
【請求項１】
電子機器であって、
近接通信を実行する近接通信部と、
前記電子機器に近接された外部機器からのアカウント設定の要求に応答して、特定のサービスを提供するサーバシステムにログインするための第１のアカウント情報を前記近接通信を使用して前記外部機器から受信し、前記受信された第１のアカウント情報を前記電子機器に設定する制御手段とを具備する電子機器。
【請求項２】
前記制御手段は、前記電子機器に近接された外部機器からのアカウント削除の要求に応答して、前記電子機器に設定されている前記第１のアカウント情報を削除する請求項１記載の電子機器。
【請求項３】
前記制御手段は、前記サーバシステムにログインするための別のアカウント情報が前記電子機器に設定されている場合、前記別のアカウント情報を一時的に無効化し前記第１のアカウント情報を有効にする請求項１記載の電子機器。
【請求項４】
前記制御手段は、前記受信された第１のアカウント情報が前記電子機器に設定された後、前記特定のサービスを利用するためのアプリケーションプログラムを起動すると共に、前記第１のアカウント情報を前記サーバシステムに送信して前記サーバシステムにログインする請求項１記載の電子機器。
【請求項５】
前記第１のアカウント情報は、前記サーバシステムにログイン可能な第１のアカウントを識別するための識別子と、前記第１のアカウントに関連付けられたパスワードとを含む請求項１記載の電子機器。
【請求項６】
無線ネットワークに接続するための無線通信部をさらに具備し、
前記制御手段は、前記無線通信部によって検知される前記電子機器の現在位置の周辺のアクセスポイントを介して前記サーバシステムとの通信が実行されるように前記検知されるアクセスポイントを前記無線通信部の通信先に設定する請求項１記載の電子機器。
【請求項７】
近接通信を実行する近接通信部を備えた電子機器を制御するための制御方法であって、
前記電子機器に近接された外部機器からのアカウント設定の要求に応答して、特定のサービスを提供するサーバシステムにログインするための第１のアカウント情報を前記近接通信を使用して前記外部機器から受信し、
前記受信された第１のアカウント情報を前記電子機器に設定する、
制御方法。
【請求項８】
近接通信を実行する近接通信部を備えたコンピュータによって実行されるプログラムであって、前記コンピュータに、
前記コンピュータに近接された外部機器からのアカウント設定の要求に応答して、特定のサービスを提供するサーバシステムにログインするための第１のアカウント情報を前記近接通信を使用して前記外部機器から受信する手順と
前記受信された第１のアカウント情報を前記コンピュータに設定する手順とを実行させるためのプログラム。
【発明の詳細な説明】
【技術分野】
【０００１】
本発明の実施形態は、通信機能を有する電子機器及び制御方法に関する。
【背景技術】
【０００２】
近年、タブレット、パーソナルコンピュータ（ＰＣ）といった種々の電子機器が開発されている。この種の多くの電子機器は、インターネット上の様々なサイトと通信するためのネットワーク通信機能を有している。
【０００３】
インターネット上のサイトの中には、メールサービス、画像閲覧サービスといった様々なサービスを提供可能なサイトもある。ユーザは、そのユーザのアカウントをサイト上に予め作成することにより、そのサイトにログインして各種サービスを利用することができる。
【先行技術文献】
【特許文献】
【０００４】
【特許文献１】特開２００４−１５３７８５号公報
【発明の概要】
【発明が解決しようとする課題】
【０００５】
しかしながら、ユーザが現在のアカウントを使用しても利用できない別のサービスの利用を意図した場合には、ユーザは、そのサービスを利用できるようにするための設定操作（アカウント作成操作、ログイン操作、等）を自ら行うことが必要となる。
【０００６】
本発明の目的は、容易に所望のサービスの提供を受けることができる電子機器および制御方法を提供することである。
【課題を解決するための手段】
【０００７】
実施形態によれば、電子機器は、近接通信部と、制御手段とを具備する。近接通信部は、近接通信を実行する。制御手段は、前記電子機器に近接された外部機器からのアカウント設定の要求に応答して、特定のサービスを提供するサーバシステムにログインするための第１のアカウント情報を前記近接通信を使用して前記外部機器から受信し、前記受信された第１のアカウント情報を前記電子機器に設定する。
【図面の簡単な説明】
【０００８】
【図１】一実施形態に係る電子機器の外観を示す斜視図。
【図２】同実施形態に係る電子機器を含むシステムの概要を説明するための図。
【図３】同実施形態に係る電子機器のシステム構成を示すブロック図。
【図４】同実施形態に係る電子機器によって実行される設定変更プログラムの構成を示すブロック図。
【図５】同実施形態に係る電子機器によって実行される設定変更処理の手順の一例を説明するためのフローチャート。
【図６】同実施形態に係る電子機器によって実行される設定削除処理の手順の一例を説明するためのフローチャート。
【発明を実施するための形態】
【０００９】
以下、図面を参照して、一実施形態を説明する。  
図１を参照して、一実施形態に係る電子機器の外観について説明する。本実施形態の電子機器は、例えば、タブレットコンピュータ１０から実現されている。また、この電子機器は、ノートブック型のパーソナルコンピュータ、スマートフォン、ＰＤＡ等として実現してもよい。
【００１０】
タブレットコンピュータ１０は、コンピュータ本体１と、タッチスクリーンディスプレイ１７とから構成される。コンピュータ本体１は薄い箱形の筐体を有している。タッチスクリーンディスプレイ１７はコンピュータ本体１の表面上に配置される。タッチスクリーンディスプレイ１７は、フラットパネルディスプレイ（たとえば、液晶表示装置（ＬＣＤ））と、タッチパネルとを備える。タッチパネルは、フラットパネルディスプレイの画面を覆うように設けられる。タッチパネルは、ユーザの指またはペンによってタッチされたタッチスクリーンディスプレイ１７上の位置を検出するように構成されている。また、近接通信（例えば、Near Field Communication: NFC）を行うことができる近接通信モジュール２０４を備えている。このタブレットコンピュータ１０は、外部機器との近接通信を行うことによってタブレットコンピュータ１０の内部動作環境を規定するための様々な設定を変更する設定変更機能を有している。
【００１１】
次に、図２を参照し、本実施形態の概要について説明する。  
本実施形態の設定変更機能は、例えば、博物館、美術館、または空港等の施設の入退場口において使用される。いま、博物館、美術館、または空港等の施設に入場するまたは退場する場合を想定する。ユーザは、近接通信モジュール２０４を搭載したタブレットコンピュータ１０を、近接通信を行うことができるリーダ・ライタ３０Ａまたはリーダ・ライタ３０Ｂに、かざすことによって、タブレットコンピュータ１０の様々な設定を自動的に変更することができる。タブレットコンピュータ１０の様々な設定とは、アカウント設定、無線接続設定、タブレットコンピュータ１０の音量またはタブレットコンピュータ１０の振動の設定、またはタブレットコンピュータ１０の時刻設定、等である。アカウント設定とは、特定のサービスを提供するサーバシステムにログインするためのアカウント情報に関する設定である。特定のサービスとは、例えば、画像または動画等の閲覧、または施設内のアナウンス情報の取得である。また、無線接続設定とは、タブレットコンピュータ１０の無線接続に関する設定である。
【００１２】
リーダ・ライタ３０Ａ及びリーダ・ライタ３０Ｂは、近接通信モジュール２０４を介して、タブレットコンピュータ１０との間で近接通信を行い、情報を送受信するための機器である。なお、図２において、リーダ・ライタ３０Ａは、エリア１１で示すような施設の入場口に備えられているような機器である。リーダ・ライタ３０Ｂは、エリア１１で示すような施設の退場口に備えられているような機器である。なお、リーダ・ライタ３０Ａとリーダ・ライタ３０Ｂとは、物理的に同じ機器であってもよい。
【００１３】
具体的には、図２では、アカウント設定及び無線接続設定の変更を行う場合を想定して説明する。タブレットコンピュータ１０のユーザは、あるサーバシステムにサインアップすることによって当該ユーザに対応するアカウント（ユーザアカウント）をサーバシステム上に既に作成している場合がある。普段、タブレットコンピュータ１０のユーザは、このユーザアカウントを使用してサーバシステムにログインする。この場合、ユーザアカウントを示すアカウント情報（メールアドレスのようなアカウントＩＤ、パスワード）はタブレットコンピュータ１０内に保持されている。入場時、ユーザは、近接通信モジュール２０４を備えたタブレットコンピュータ１０をリーダ・ライタ３０Ａにかざし（以下、入場時の近接通信と称す。）、エリア１１に入る。入場時の近接通信を行うことによって、上述のサーバシステムにログインするために使用すべきタブレットコンピュータ１０のアカウントは、上述のユーザアカウントからエリア１１内で利用可能な別のアカウント（例えば、上述のサーバシステムにログイン可能なゲストアカウント）に変更される。別のアカウント（ゲストアカウント）とは、エリア１１内で提供される特定のサービスを利用することが可能なアカウントである。すなわち、タブレットコンピュータ１０は、近接通信を使用してリーダ・ライタ３０Ａから上述のサーバシステムにログインするためのアカウント情報を受信する。この受信したアカウント情報は、上述のエリア１１内で利用可能なあるアカウント（あるゲストアカウント）を示す情報である。例えば、サーバシステムには、エリア１１内で利用するための複数のアカウント（複数のゲストアカウント）が予め作成されていても良い。この場合、これら複数のゲストアカウントの一つを示すアカウント情報がリーダ・ライタ３０Ａからタブレットコンピュータ１０に送信される。タブレットコンピュータ１０は、近接通信を使用してリーダ・ライタ３０Ａから受信したアカウント情報をタブレットコンピュータ１０に設定する。タブレットコンピュータ１０は、このアカウント情報を使用して上述のサーバシステムにログインすることにより、エリア１１に関連付けられた特定のサービスを利用することができる。
【００１４】
退場時、ユーザは、タブレットコンピュータ１０をリーダ・ライタ１０Ｂにかざし（以下、退場時の近接通信と称す。）、エリア１１から出る。退場時の近接通信により、入場時にタブレットコンピュータ１０に設定された上述のアカウント情報（ゲストアカウント）は自動的に削除され、上述のサーバシステムにログインするために使用されるタブレットコンピュータ１０のアカウントは、ゲストアカウントからユーザアカウントに戻される。
【００１５】
図２において、タブレットコンピュータ１０の無線接続設定は、入場時の近接通信を行うことによって、移動通信モジュールを利用した無線通信の設定（３Ｇ等）から無線ＬＡＮ（WiFi（登録商標）等）を利用した無線通信の設定に変更される。そして、退場時の近接通信を行うことによって、タブレットコンピュータ１０の無線接続設定は、無線ＬＡＮ（WiFi（登録商標）等）を利用した無線通信の設定から移動通信モジュールを利用した無線通信の設定（３Ｇ）に変更される。
【００１６】
このように、エリア１１への入場時に、タブレットコンピュータ１０をリーダ・ライタＡにかざすだけで、自動的にゲストアカウントが設定されるため、ユーザは自らゲストアカウントの設定を行うことなく、特定のサービスを利用することができる。また、無線接続設定が自動的に変更されるため、移動通信モジュールを利用した無線通信よりも比較的安定している無線ＬＡＮを利用した無線通信を利用して、特定のサービスを利用することができる。また、移動通信モジュールを利用した無線通信が利用できない場合等においても、ユーザは自ら無線接続設定を行うことなく、特定のサービスを利用することができる。また、退場時にタブレットコンピュータ１０からゲストアカウントが削除されるため、退場後にユーザが特定のサービスを利用することを防ぐことができる。さらに、タブレットコンピュータ１０から削除されたゲストアカウント（ゲストアカウントに対応するアカウント情報）は、エリア１１へ入場する別のコンピュータへの設定のために再利用することができる。
【００１７】
次に、図３を参照し、本実施形態における電子機器のシステム構成について説明する。  
タブレットコンピュータ１０は、中央処理装置（ＣＰＵ）１０１、システムコントローラ１０２、主メモリ１０３、グラフィクスコントローラ（ＧＰＵ）１０５、サウンドコントローラ１０６、ＢＩＯＳ−ＲＯＭ１０７、ソリッドステートドライブ（ＳＳＤ）１０９、ＢＴ（Bluetooth（登録商標））モジュール１１０、移動通信モジュール１１１、無線ＬＡＮコントローラ１１２、エンベデッドコントローラ（ＥＣ）１１３、ＥＥＰＲＯＭ１１４、ＵＳＢコネクタ１３、タッチスクリーンディスプレイ１７、ビデオメモリ（ＶＲＡＭ）１０５Ａ、近接通信モジュール２０４、振動センサ２０５等を備える。
【００１８】
ＣＰＵ１０１は、タブレットコンピュータ１０内の各部の動作を制御するプロセッサである。ＣＰＵ１０１は、ＳＳＤ１０９から主メモリ１０３にロードされるオペレーティングシステム（ＯＳ）２０１及び各種アプリケーションプログラムを実行する。アプリケーションプログラムには、設定変更プログラム２０２が含まれている。
【００１９】
設定変更プログラム２０２は、上述したようなタブレットコンピュータ１０の様々な設定を変更するためのプログラムである。また、設定変更プログラム２０２は、上述したような特定のサービスを利用するために、例えば、外部のコンテンツサーバから得られるコンテンツを閲覧するためのコンテンツ閲覧アプリケーションを起動することもできる。
【００２０】
コンテンツ閲覧アプリケーションは、写真等の画像（静止画）データや、映像（動画）データ等のコンテンツを閲覧するためのアプリケーションである。また、コンテンツ閲覧アプリケーションは、例えば特定のエリア内のアナウンス情報をメール等で受信するアプリケーションであってもよい。
【００２１】
また、ＣＰＵ１０１は、ＢＩＯＳ−ＲＯＭ１０７に格納されたＢＩＯＳ（basic input/output system）も実行する。ＢＩＯＳは、ハードウェア制御のためのプログラムである。  
システムコントローラ１０２は、ＣＰＵ１０１のローカルバスと、ＰＣＩ（Peripheral Component Interconnect）バス上の各デバイス及びＬＰＣ（Low Pin Count）バス上の各デバイスと、の間を接続するブリッジデバイスである。また、ＳＳＤ１０９を制御するためのＩＤＥ（Integrated Drive Electronics）コントローラを内蔵している。さらに、サウンドコントローラ１０６との通信を実行する機能も有している。あるいは、ＰＣＩ ＥＸＰＲＥＳＳ規格のシリアルバスなどを介してＧＰＵ１０５との通信を実行する機能も有している。
【００２２】
ＧＰＵ１０５は、タブレットコンピュータ１０のディスプレイモニタとして使用されるＬＣＤ１７Ａを制御する表示コントローラである。このＧＰＵ１０５によって生成される映像信号（表示信号ともいう）はＬＣＤ１７Ａに送られる。
【００２３】
サウンドコントローラ１０６は音源デバイスであり、再生対象のオーディオデータをスピーカ１８Ａ及びスピーカ１８Ｂに出力する。無線ＬＡＮコントローラ１１２は、例えばＩＥＥＥ ８０２．１１規格の無線通信を実行する無線通信デバイスである。
【００２４】
ＥＣ１１３は、電力管理のためのエンベデッドコントローラである。ＥＣ１１３は、ユーザの操作に応じてタブレットコンピュータ１０を電源オン／電源オフする機能を有している。電源回路１２１は、タブレットコンピュータ１０内のバッテリ１２２から供給される電力、またはＡＣアダプタ１２３のような外部電源から供給される電力を用いて、各コンポーネントに供給すべき動作電力を生成する。また、電源回路１２１は、外部電源から供給される電力を用いてバッテリ１２２の充電も行う。
【００２５】
タッチパネルディスプレイ１７には、ＬＣＤ１７Ａのほか、タッチパネル１７Ｂが組み込まれている。ＬＣＤ１７Ａに重ね合わせて配置されるタッチパネル１７Ｂは、センサやＭＣＵ（Micro controller unit）等を有している。タッチパネル１７Ｂ上でタッチ操作が行われると、そのタッチされた位置がセンサによって検出され、当該タッチパネル１７Ｂ上のタッチされた位置を含む入力情報がＭＣＵによって出力される。
【００２６】
ビデオメモリ（ＶＲＡＭ）１０５Ａは、グラフィックスコントローラ１０５と接続されている。ビデオメモリ（ＶＲＡＭ）１０５Ａは、例えば、外部ディスプレイやＬＣＤ１７Ａに表示される画面イメージに対応する画面イメージデータを記憶する。
【００２７】
移動通信モジュール１１１は、携帯電話通信網を利用した無線通信、例えば３Ｇの通信規格の無線通信、を行う。なお、移動通信モジュール１１１は、無線ＬＡＮコントローラ１１２による無線通信及び近接通信と異なる規格の無線通信であればよく、携帯電話通信網とは異なる通信網を利用した無線通信であってもよい。
【００２８】
近接通信モジュール２０４は、上述したようなＮＦＣを行うための機能を有する。なお、近接通信モジュール２０４は、無線ＬＡＮコントローラ１１２及び移動通信モジュール１１１による無線通信とは異なる無線通信であればよく、通信を行う機器間の距離が近接通信により通信可能な距離よりも長い距離で通信可能な近距離通信等であってもよい。
【００２９】
振動センサ２０５は、上述したようなタブレットコンピュータ１０の様々な設定の一つである振動（バイブレーション）設定に基づき、タブレットコンピュータ１０に振動を与えることができる。
【００３０】
次に、図４を参照し、設定変更プログラム２０２を含むシステムの構成について説明する。  
設定変更プログラム２０２は、アカウント受信部４０１、アカウント設定部４０２、アカウント削除部４０３、ログイン処理部４０４、アプリケーション起動部４０５ｌ、及び無線接続設定部４０６を含む制御部４００から構成されている。
【００３１】
設定変更プログラム２０２は、ＯＳ２１上で動作し、ＯＳ２０１を介して受信される外部機器からの要求に応じて、タブレットコンピュータ１０の様々な設定を変更することができる。
【００３２】
制御部４００は、タブレットコンピュータ１０に近接された外部機器から近接通信によってアカウント設定の要求が受信された場合、特定のサービスを提供するサーバシステム４０にログインするためのアカウント情報を近接通信を使用して外部機器から受信し、受信されたアカウント情報をタブレットコンピュータ１０に設定する。外部機器とは、例えば、リーダ・ライタ３０Ａまたはリーダ・ライタ３０Ｂである。また、サーバシステム４０は、ユーザ等によって作成されたアカウント等を管理するアカウント管理サーバ４１、及びエリア１１のような特定のエリアに関連するコンテンツを特定のサービスとして提供するコンテンツサーバ４２、のような複数のサーバから構成されるシステムである。なお、アカウント管理サーバ４１とコンテンツサーバ４２とは、１つのサーバから構成されていてもよい。以下、制御部４００の詳細な構成について述べる。
【００３３】
アカウント受信部４０１は、タブレットコンピュータ１０にアカウントを設定する要求（以下、アカウント設定要求と称す。）を近接通信モジュール２０４を介してリーダ・ライタ３０Ａから受信した場合、サーバシステム４０にログインするためのアカウント情報をリーダ・ライタ３０Ａから受信する。
【００３４】
アカウント情報は、例えば、サーバシステム４０にログイン可能なアカウントを識別するための識別子と、そのアカウントに関連付けられたパスワードとを含む。  
アカウント設定部４０２は、アカウント受信部４０１によって受信されたアカウント情報を、サーバシステム４０にログインするために使用すべきアカウントとしてタブレットコンピュータ１０に設定する。
【００３５】
アカウント削除部４０３は、タブレットコンピュータ１０に設定されているアカウント情報を削除する要求（以下、アカウント削除要求と称す。）を、近接通信モジュール２０４を介してリーダ・ライタ３０Ｂから受信した場合、タブレットコンピュータ１０に設定されている上述のアカウント情報を削除する。
【００３６】
ログイン処理部４０４は、アカウント受信部４０１によって受信されたアカウント情報をサーバシステム４０を構成するアカウント管理サーバ４１に送信し、システム４０にログインするための処理を行う。なお、図４に示すように、ログインするための処理は、ログイン処理部４０４からの指示に基づきコンテンツ閲覧アプリケーション２０３がアカウント管理サーバ４１に対して実行してもよいし、コンテンツ閲覧アプリケーション２０３を介さずにログイン処理部４０４がアカウント管理サーバ４１にログインしてもよい。
【００３７】
アプリケーション起動部４０５は、アカウント設定部４０２によってアカウント情報がタブレットコンピュータ１０に設定された後、コンテンツ閲覧アプリケーション２０３を起動する。なお、アプリケーション起動部４０５がコンテンツ閲覧アプリケーション２０３を起動すると共に、ログイン処理部４０４がアカウント情報をアカウント管理サーバ４１に送信してシステム４０にログインしてもよい。
【００３８】
無線接続設定部４０６は、上述したような無線接続設定を行う。具体的には、無線ＬＡＮコントローラ１１２によって検知されるタブレットコンピュータ１０の現在位置の周辺のアクセスポイント（ＡＰ）６０を介して、インターネット６０と接続されているサーバシステム４０と通信を行うために、検知されるＡＰ６０を無線ＬＡＮコントローラ１１２の通信先に設定する。
【００３９】
また、制御部４００は、アカウント受信部４０１によって受信されるアカウント情報（第１のアカウント情報）がアカウント設定部４０２によってタブレットコンピュータ１０に設定される前に、サーバシステム４０にログインするための別のアカウント情報がタブレットコンピュータ１０に設定されていた場合、その別のアカウント情報を一時的に無効化し、第１のアカウント情報を有効にすることができる。これにより、エリア１１内では、第１のアカウント情報を使用してサーバシステム４０にログインすることができる。
【００４０】
次に、図５を参照し、設定変更プログラム２０２によるアカウント情報の設定に関する処理の手順について説明する。  
始めに、タブレットコンピュータ１０とリーダ・ライタ３０Ａとが互いに近接された時、タブレットコンピュータ１０とリーダ・ライタ３０Ａとの間で、近接通信による接続が確立される。なお、近接接続の確立は、近接接続を確立するために必要な一般的な処理の手順にしたがい行われる。
【００４１】
近接接続が確立された後、リーダ・ライタ３０Ａからタブレットコンピュータ１０に設定変更要求（アカウント設定要求）が送られる。なお、設定変更要求は、アカウント設定要求だけでなく、無線接続設定変更要求、タブレットコンピュータ１０の音量またはタブレットコンピュータ１０の振動の設定変更要求、またはタブレットコンピュータ１０の時刻設定変更要求、等を含んでいても良い。例えば、アカウント設定（アカウント設定変更）を行う前に無線接続設定変更を行う必要があった場合、リーダ・ライタ３０Ａは、無線接続設定の変更をタブレットコンピュータ１０に要求し、無線接続設定変更要求に応じて、無線接続設定を変更する。
【００４２】
また、例えば、図２に示すようなエリア１１が博物館または美術館等であった場合、タブレットコンピュータ１０の音量を調整するまたはタブレットコンピュータ１０の音量をＯＦＦにし、振動センサ２０５をＯＮにする（マナーモードにする）ように、タブレットコンピュータ１０の設定を変更する。また、他の例として、図２に示すようなエリア１１が空港等であった場合、無線接続設定を無効（ＯＦＦ）にするような設定変更（Ａｉｒｐｌａｎｅモードの変更）を行うことができる。さらに、エリア１１が空港等であった場合において、入場時の近接通信を行う際のリーダ・ライタ３０Ａがある地域の時刻を示すタイムゾーンと、退場時の近接通信を行う際のリーダ・ライタ３０Ｂがある地域の時刻を示すタイムゾーンと、が異なっていた場合、設定変更プログラム２０２はタブレットコンピュータ１０の時刻設定を変更することもできる。
【００４３】
次に、リーダ・ライタ３０Ａは、タブレットコンピュータ１０にアカウント情報を送る。タブレットコンピュータ１０は、リーダ・ライタ３０Ａから送られてきたアカウント情報をサーバシステム４０へのログインに使用すべきアカウント（ゲストアカウント）としてタブレットコンピュータ１０に設定し保持する。また、ゲストアカウントとは異なるユーザアカウント等の別のアカウントがタブレットコンピュータ１０に設定または保持されていた場合、その別のアカウントを一時的に無効化してゲストアカウントを有効にすることによって、その別のアカウントよりもゲストアカウントを優先して使用することができる。なお、ユーザアカウント等の別のアカウントは一時的に無効化されてもタブレットコンピュータ１０から削除されることなく、タブレットコンピュータ１０内に保持される。
【００４４】
次に、タブレットコンピュータ１０は、タブレットコンピュータ１０内に設定されたアカウント情報（ゲストアカウント）を使用してサーバステム４０にログインする。このログインの処理では、タブレットコンピュータ１０は、タブレットコンピュータ１０内に設定されたアカウント情報をサーバステム４０に送信する。サーバシステム４０は、タブレットコンピュータ１０から受信されたアカウント情報に含まれる識別子に基づいて、サーバシステム４０によって管理されている多数のアカウントの中から上述の識別子に対応するアカウント（上述のゲストアカウント）を特定する。そして、サーバステム４０は、特定されたアカウント（上述のゲストアカウント）に関連付けられたパスワードと、タブレットコンピュータ１０から受信されたアカウント情報に含まれるパスワードとを比較して、タブレットコンピュータ１０から受信されたアカウント情報に含まれるパスワードが正しいパスワードであるか否かが判定される。タブレットコンピュータ１０から受信されたアカウント情報に含まれるパスワードが正しいパスワードであることが確認されると、サーバシステム４０は、タブレットコンピュータ１０がサーバシステム４０にログインすること、つまりタブレットコンピュータ１０が上述の特定されたアカウント（上述のゲストアカウント）に関連付けられたサービスを利用することを許可する。
【００４５】
次に、タブレットコンピュータ１０がゲストアカウントを利用してサーバシステム４０にログインした後、タブレットコンピュータ１０は、サーバシステム４０にコンテンツを要求する。この場合、タブレットコンピュータ１０の設定変更プログラム２０２がＯＳ２０１を介してコンテンツ閲覧アプリケーション２０３を自動的に起動し、コンテンツ閲覧アプリケーション２０３がサーバシステム４０にコンテンツを要求してもよい。サーバシステム４０は、タブレットコンピュータ１０から送られてきたコンテンツの要求に応じて、コンテンツをタブレットコンピュータ１０に送る。この場合、サーバシステム４０は、例えば、上述のゲストアカウントに対応する権限で閲覧可能なコンテンツの一覧をタブレットコンピュータ１０に送信しても良い。閲覧可能なコンテンツ、例えば、エリア１１が博物館または美術館である場合、その博物館または美術館に関連する画像・動画像、館内案内用の地図、他の様々なコンテンツ等である。コンテンツ閲覧アプリケーション２０３は閲覧可能なコンテンツの一覧を表示する。ユーザによってコンテンツの一覧からあるコンテンツが選択されると、コンテンツ閲覧アプリケーション２０３は、選択されたコンテンツをサーバシステム４０に要求する。サーバシステム４０は、タブレットコンピュータ１０から送られてきたコンテンツの要求に応じて、コンテンツをタブレットコンピュータ１０に送る。コンテンツ閲覧アプリケーション２０３はサーバシステム４０から受信されたコンテンツに対応する画像を表示する。
【００４６】
次に、図６を参照し、設定変更プログラム２０２によるアカウント情報の削除に関する処理の手順について説明する。  
始めに、タブレットコンピュータ１０とリーダ・ライタ３０Ｂとが互いに近接された時、タブレットコンピュータ１０とリーダ・ライタ３０Ｂとの間で、近接通信による接続が確立される。なお、図５と同様に、近接接続の確立は、近接接続を確立するために必要な一般的な処理の手順にしたがい行われる。
【００４７】
次に、リーダ・ライタ３０Ｂは、タブレットコンピュータ１０に設定されているゲストアカウントに関するアカウント情報を削除する削除要求をタブレットコンピュータ１０に送る。なお、リーダ・ライタ３０Ｂは、タブレットコンピュータ１０の設定の状態に関して問い合わせてもよい。そして、リーダ・ライタ３０Ｂは、問い合わせた結果として得られるタブレットコンピュータ１０の設定の状態に基づき、例えばタブレットコンピュータ１０にゲストアカウントが設定されているかどうかを判定してもよい。
【００４８】
タブレットコンピュータ１０は、リーダ・ライタ３０Ｂからの削除要求に応答して、ログアウト処理を行う。ログアウト処理は、例えば、タブレットコンピュータ１０がゲストアカウントでログインされている場合において、タブレットコンピュータ１０がシステム４０にログアウト要求を送ることによって行われる。そして、タブレットコンピュータ１０は、タブレットコンピュータ１０に設定されているゲストアカウントに関するアカウント情報を削除する。なお、アカウント情報を削除するとは、ユーザがゲストアカウントを利用することができないようにする処理である。
【００４９】
また、以上の本実施形態の説明において、タブレットコンピュータ１０が複数のゲストアカウントを利用することが可能であった場合について説明する。リーダ・ライタ３０Ａは、予め作成されている異なる種類の複数のゲストアカウントに関するアカウント情報をタブレットコンピュータ１０に送信することができる。そして、これらの複数のゲストアカウントの各々を利用してログインすることによって、複数のゲストアカウントの各々に対応した異なる種類のコンテンツを閲覧等することができる。また、タブレットコンピュータ１０には、利用可能なゲストアカウントに関する情報が格納されている。入場時の近接接続において、リーダ・ライタ３０Ａは、タブレットコンピュータ１０に格納されている利用可能なゲストアカウントに関する情報に基づき、複数のゲストアカウントの内の何れのゲストアカウントに関するアカウント情報を、タブレットコンピュータ１０に送信するか決定し、決定したアカウント情報をタブレットコンピュータ１０に送信する。このように複数のゲストアカウントを使い分けることによって、例えば映画館、旅客機、またはコンサート会場等において、ユーザが所持する入場チケット等のクラスに応じて、異なるサービス（コンテンツ）を提供することができる。なお、この場合、ユーザが所持する入場チケット等のクラスに関する情報が、タブレットコンピュータ１０に格納されている利用可能なゲストアカウントに関する情報に相当する。
【００５０】
なお、 以上の本実施形態の説明において、コンテンツ閲覧アプリケーション２０３の起動に関する処理、またはコンテンツ閲覧アプリケーション２０３を使用したコンテンツの閲覧に関する処理は、エリア１１内において、ユーザからの指示に応じて、行われてもよい。
【００５１】
また、入場時の近接接続が行われた後、エリア１１内において、特定のサービスを利用するタイミングについて述べる。例えば、エリア１１内の所定の場所にあるＩＣタグ等とタブレットコンピュータ１０とが近づき、そのＩＣタグ等とタブレットコンピュータ１０との間で通信が行われることによって、コンテンツ閲覧アプリケーション２０３の起動に関する処理、またはコンテンツ閲覧アプリケーション２０３を使用したコンテンツの閲覧に関する処理、が行われてもよい。
【００５２】
また、図２において、エリア１１に入場する前にタブレットコンピュータ１０に予め利用可能な複数のユーザアカウントが保持されていた場合、エリア１１へ入場する前にタブレットコンピュータ１０に設定または保持されているユーザアカウントと、エリア１１から退場した後にタブレットコンピュータ１０に設定または保持されているユーザアカウントと、は同じユーザアカウントでなくてもよい。
【００５３】
また、ゲストアカウント及びユーザアカウントについて、より詳しく説明する。ゲストアカウントは、予めエリア１１に入場するユーザが利用可能なように予め作成されているアカウントである。ユーザアカウントは、エリア１１に入場する各々のユーザによって、エリア１１に入場する前に予め作成されたアカウントである。
【００５４】
以上のように、本実施形態によれば、近接通信を使用して外部機器から特定のサービスを提供するサーバシステムにログインするためのアカウント情報が受信され、そのアカウント情報がタブレットコンピュータ１０に設定される。したがって、ユーザはタブレットコンピュータ１０を外部機器にかざすだけで、タブレットコンピュータ１０に搭載されているＮＦＣの機能を使用して、アカウント情報の設定をすることができる。また、アカウント情報を設定するだけでなく、アカウント情報の変更、追加、または削除等を行うことができる。また、ユーザが旅客機へ搭乗または旅客機から降りる際に、あるいは公共の施設等内に入退場する際に、タブレットコンピュータ１０の設定を行うことまたはタブレットコンピュータ１０の設定を解除することを、ユーザ操作無しで、行うことができる。また、入退場時に、このような設定の変更を、ユーザが行いたいかどうかにかかわらず、行うようにすることもできる。また、公共の施設等だけで利用可能なゲストアカウントに関するパスワード等の情報、及び／または公共の施設等で利用可能な無線接続を行うアクセスポイント（ＡＰ）６０に関するパスワード等の情報を、ユーザに知らせることなく、これらの情報をタブレットコンピュータ１０が使用することができる。具体的には、ユーザが公共の施設等から退場する際に、これらの情報を削除することによって、これらの情報を公共の施設等だけで利用可能な情報とすることができる。
【００５５】
また、本実施形態で説明した処理の手順は全てソフトウェアによって実行することができる。このため、この処理の手順を実行するコンピュータプログラムを格納したコンピュータ読み取り可能な記憶媒体を通じてこのプログラムを通常のコンピュータにインストールして実行するだけで、本実施形態と同様の効果を容易に実現することができる。
【００５６】
また、図４に示した各部の機能は、例えば、専用ＬＳＩ、ＤＳＰのようなハードウェアによって実現しても良い。  
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００５７】
１０…コンピュータ、１７…ディスプレイ、３０（３０Ａ、３０Ｂ）…リーダ・ライタ、２０１…ＯＳ、２０２…設定変更プログラム、２０３…コンテンツ閲覧アプリケーション、２０４…近接通信モジュール、４００…制御部、４０２…アカウント設定部、４０３…アカウント削除部。
【図１】
2014067283.tif 000003
【図２】
2014067283.tif 000004
【図３】
2014067283.tif 000005
【図４】
2014067283.tif 000006
【図５】
2014067283.tif 000007
【図６】
2014067283.tif 000008